(57)【要約】      （修正有）【課題】つまみの中心部後方のスペースを大きくとれ、照明エリアを広くし、また、金型設計での自由度が大きいプッシュスイッチ作動用つまみを提供する。【解決手段】操作パネル１に出入自在に取付けられ、操作パネル背後に配置されたプッシュスイッチ３を作動させるプッシュスイッチ作動用つまみ２において、前記つまみ２の押圧部２ａから後方に延びてプッシュスイッチを作動する複数のリブ２ｃを形成し、前記操作パネル１のつまみ取付け用穴の周囲には、前記つまみ２を前記操作パネル１内に押し込むときに前記つまみ２を案内する傾斜面１ｂと段差１ｃを有する筐体奥側に延びる係合部１ａを形成し、凹み２ｄを前記リブ２ｃに設け、前記つまみ２を前記操作パネル１内に押し込むと前記段差１ｃと前記凹み２ｄが係止することにより前記つまみ２の前記操作パネル１から突出する方向の移動が規制されるように構成した。【選択図】図３
2010003535.tif 000002
【特許請求の範囲】
【請求項１】
筐体前面に配置される操作パネルに出入自在に取付けられており、突出方向に付勢され指で押し込むことにより前記操作パネル背後に配置されたプッシュスイッチを作動させるプッシュスイッチ作動用つまみにおいて、前記つまみの押圧部から後方に延びる複数のリブを形成し、前記リブの先端にプッシュスイッチを作動する凸部を設け、前記操作パネルのプッシュスイッチ作動用つまみ取付け用穴の周囲には、筐体奥側に延びる係合部を形成し、前記つまみを前記操作パネル内に押し込むときに前記つまみを案内する傾斜面と段差とを前記リブと係合部の一方に設け、凹みまたは穴を前記リブと係合部の他方に設け、前記つまみを前記操作パネル内に押し込むと前記段差と前記凹みまたは穴の縁とが係止することにより前記つまみの前記操作パネルから突出する方向の移動が規制されるように構成したプッシュスイッチ作動用つまみ。
【請求項２】
前記つまみを前記操作パネル内に押し込むときに、前記リブが弾性変形する請求項１のプッシュスイッチ作動用つまみ。
【請求項３】
前記つまみを前記操作パネル内に押し込むときに、前記係合部が弾性変形する請求項１のプッシュスイッチ作動用つまみ。
【請求項４】
前記つまみを前記操作パネル内に押し込むときに、前記リブと係合部の双方が弾性変形する請求項１のプッシュスイッチ作動用つまみ。
【請求項５】
前記プッシュスイッチはメンブレンスイッチであり、前記つまみがメンブレンにより付勢される請求項１から４のいずれかに記載したプッシュスイッチ作動用つまみ。
【請求項６】
前記プッシュスイッチはマイクロスイッチであり、前記つまみがマイクロスイッチの作動子により付勢される請求項１から４のいずれかに記載したプッシュスイッチ作動用つまみ。
【請求項７】
前記つまみとその背後に配置される部材との間にばねが介装されており、前記つまみが前記ばねにより付勢される請求項１から４のいずれかに記載したプッシュスイッチ作動用つまみ。
【発明の詳細な説明】
【技術分野】
【０００１】
この発明はプッシュスイッチ作動用つまみに係わり、特に、その構造に関する。
【背景技術】
【０００２】
従来のプッシュスイッチ作動用つまみの例を図４に示す。図４に示すプッシュスイッチ作動用つまみ１２は筐体の前面に配置された操作パネル１１のつまみ取付け用穴に取付けられる。つまみ１２の背後には図示していないプリント基板を覆うメンブレン３が配置されている。
【０００３】
前記プリント基板に設けられた対向する導体パターンと、メンブレン３の椀形形状部内凸部に付設され椀形形状部が弾性変形することにより前記導体パターン同士を導通させる導体膜によりメンブレンスイッチが構成されている。
【０００４】
つまみ１２の押圧部１２ａは操作パネル１１の前側に配置されており、押圧部１２ａの中心に対して対称位置に２つのリブ１２ｂ、１２ｂが後方に向けて延びるように形成されている。リブ１２ｂ、１２ｂの外側には夫々凹み１２ｃ、１２ｃが形成されている。さらに、押圧部１２ａの中心位置から後方に延びるように軸１２ｄが形成されている。
【０００５】
操作パネル１１のつまみ取付け用穴の周囲には筐体奥側に延びる係合部１１ａが形成されている。係合部１１ａの中間位置で前記リブ１２ｂ、１２の夫々の凹み１２ｃ、１２ｃと対応する位置に傾斜面１１ｂ、１１ｂが形成され、さらに傾斜面１１ｂ、１１ｂの後方に段差１１ｃ、１１ｃが形成されている。
【０００６】
上記つまみを操作パネル１１に組み付けるときは、つまみ１２を操作パネル１１のつまみ取付け用穴に押し込むと、リブ１２ｂ、１２ｂは係合部１１ａの傾斜面１１ｂ、１１ｂに押されて弾性変形して傾斜面１１ｂ、１１ｂを乗り越える。そして、段差１１ｃ、１１ｃがリブ１２ｂ、１２ｂの凹み１２ｃ、１２ｃの奥側の縁を越えるとリブ１２ｂ、１２ｂは元に戻り段差１１ｃ、１１ｃが凹み１２ｃ、１２ｃの奥側の縁を係止するようになる。
【０００７】
このようにつまみ１２が押し込まれた後の自然状態では、つまみ１２の軸１２ｄがメンブレン３の弾力に押されつまみ１２が突出位置にあり、図４に示すように、段差１１ｃ、１１ｃが凹み１２ｃ、１２ｃの奥側の縁を係止している。このとき、プリント基板の対向する導体パターンは導通していない。つまみ１２を指で押すと、つまみ１２の軸１２ｄはメンブレン３を変形させメンブレン３の導体膜がプリント基板の対向する導体パターンを導通させる。
【０００８】
上記した図４に示す従来のプッシュスイッチ作動用つまみの構造によると、つまみ１２の中心背後にメンブレンスイッチを作動させる軸１２ｄが形成されているために、背後からつまみ１２の押圧部１２ａを照明する場合に照明エリアが狭くなる。そのため、押圧部１２ａの表面の文字配置が制約されてデザインに悪影響があった。
【０００９】
また、リブ１２ｂ、１２ｂと軸１２ｄとが一部合体しているものでもリブと軸とが占めるスペースが大きくなり、さらに、ガタツキによる軸先端の振れが大きくなっていた。また、つまみを二色成形する場合には、リブ１２ｂ、１２ｂと軸１２ｄの間隔が狭いため、金型構造が大きく制約されていた。そして、リブ１２ｂ、１２ｂと軸１２ｄの間隔を大きくするために軸１２ｄをＤカット形状とすると、メンブレン３を押す中心の位置ずれにより操作感覚が損なわれるようになる。
【００１０】
特開２００６−３０２８４７号公報に開示された従来のスイッチ構造は、筐体２０の開口部２４に取付けられる押釦２０はスイッチ５０を作動させる案内片１３が押釦２０の中心位置に形成され、係止爪１２を有する係合片１１が押釦２０の周辺部に形成されている。このように押釦の中心位置にスイッチを作動させる部材が設けられているので、上記した図４に示す従来のプッシュスイッチ作動用つまみと同様に押圧部を照明する場合に照明エリアが狭くなり、また、金型構造が制約されるという問題があった。
【特許文献１】特開２００６−３０２８４７号公報、段落００１０〜段落００１４、図１
【発明の開示】
【発明が解決しようとする課題】
【００１１】
この発明は上記した点に鑑みてなされたものであって、その目的とするところは、つまみの中心部後方のスペースを大きくとれ、照明エリアを広くし、また、金型設計での自由度が大きいプッシュスイッチ作動用つまみを提供することにある。
【課題を解決するための手段】
【００１２】
この発明のプッシュスイッチ作動用つまみは、筐体前面に配置される操作パネルに出入自在に取付けられており、突出方向に付勢され指で押し込むことにより前記操作パネル背後に配置されたプッシュスイッチを作動させるプッシュスイッチ作動用つまみにおいて、前記つまみの押圧部後方に延びる複数のリブを形成し、前記リブの先端にプッシュスイッチを作動する凸部を設け、前記操作パネルのプッシュスイッチ作動用つまみ取付け用穴の周囲には、筐体奥側に延びる係合部を形成し、前記つまみを前記操作パネル内に押し込むときに前記つまみを案内する傾斜面と段差とを前記リブと係合部の一方に設け、凹みまたは穴を前記リブと係合部の他方に設け、前記つまみを前記操作パネル内に押し込むと前記段差と前記凹みまたは穴の縁とが係止することにより前記つまみの前記操作パネルから突出する方向の移動が規制されるように構成したものである。
【００１３】
また、前記プッシュスイッチ作動用つまみにおいて、前記つまみを前記操作パネル内に押し込むときに、前記リブが弾性変形するものである。
【００１４】
また、同プッシュスイッチ作動用つまみにおいて、前記つまみを前記操作パネル内に押し込むときに、前記係合部が弾性変形するものである。
【００１５】
また、同プッシュスイッチ作動用つまみにおいて、前記つまみを前記操作パネル内に押し込むときに、前記リブと係合部の双方が弾性変形するものである。
【００１６】
また、前記各プッシュスイッチ作動用つまみにおいて、前記プッシュスイッチはメンブレンスイッチであり、前記つまみがメンブレンにより付勢されるものである。
【００１７】
また、同各プッシュスイッチ作動用つまみにおいて、前記プッシュスイッチはマイクロスイッチであり、前記つまみがマイクロスイッチの作動子により付勢されるものである。
【００１８】
また、同各プッシュスイッチ作動用つまみにおいて、前記つまみとその背後に配置される部材との間にばねが介装されており、前記つまみが前記ばねにより付勢されるものである。
【発明の効果】
【００１９】
この発明のプッシュスイッチ作動用つまみによれば、つまみの中心部後方のスペースを大きくとれるので、照明エリアが広くなり、また、金型設計での自由度が大きくなる。
【発明を実施するための最良の形態】
【００２０】
以下この発明を実施するための最良の形態を実施例に即して説明する。図１はこの発明の実施例であるプッシュスイッチ作動用つまみを示す斜視図、図２は同プッシュスイッチ作動用つまみを示す底面図、図３は図２におけるＡ−Ａ断面に同プッシュスイッチ作動用つまみ周辺に配置される部材を示す断面図である。
【００２１】
図に示すプッシュスイッチ作動用つまみ２は筐体の前面に配置された操作パネル１のつまみ取付け用穴に取付けられる。つまみ２の背後には図示していないプリント基板を覆うメンブレン３が配置されている。
【００２２】
前記プリント基板に設けられた対向する導体パターンと、メンブレン３の椀形形状部内凸部に付設され椀形形状部が弾性変形することにより前記導体パターン同士を導通させる導体膜によりメンブレンスイッチが構成されている。
【００２３】
つまみ２の押圧部２ａは操作パネル１の前側に配置されており、押圧部２ａの中心に対して対称位置に２つのリブ２ｃ、２ｃが後方に向けて延びるように形成されている。リブ２ｃ、２ｃの外側には夫々凹み２ｄ、２ｄが形成されている。さらに、リブ２ｃ、２ｃの先端には円筒形凸部２ｅ、２ｅが形成されている。
【００２４】
操作パネル１のつまみ取付け用穴の周囲には筐体奥側に延びる係合部１ａが形成されている。係合部１ａは図２に示すように内部空間を囲む形状となっている。係合部１ａの中間位置で前記リブ２ｃ、２ｃの夫々の凹み２ｄ、２ｄと対応する位置に傾斜面１ｂ、１ｂが形成され、さらに傾斜面１ｂ、１ｂの後方に段差１ｃ、１ｃが形成されている。
【００２５】
上記つまみを操作パネル１に組み付けるときは、つまみ２を操作パネル１のつまみ取付け用穴に押し込むと、リブ２ｃ、２ｃは係合部１ａの傾斜面１ｂ、１ｂに押されて弾性変形して傾斜面１ｂ、１ｂを乗り越える。そして、段差１ｃ、１ｃがリブ２ｃ、２ｃの凹み２ｄ、２ｄの奥側の縁を越えるとリブ２ｃ、２ｃは元に戻り段差１ｃ、１ｃが凹み２ｄ、２ｄの奥側の縁を係止するようになる。
【００２６】
このようにつまみ２が押し込まれた後の自然状態では、つまみ２の円筒形凸部２ｅ、２ｅがメンブレン３の弾力に押されつまみ２が突出位置にあり、図３に示すように、段差１ｃ、１ｃが凹み２ｄ、２ｄの奥側の縁を係止している。このとき、プリント基板の対向する導体パターンは導通していない。つまみ２を指で押すと、つまみ２の円筒形凸部２ｅ、２ｅはメンブレン３を変形させて、メンブレン３の導体膜がプリント基板の対向する導体パターンを導通させる。
【００２７】
上記実施例のプッシュスイッチ作動用つまみの構造では、つまみ２の中心背後にメンブレンスイッチを部材が形成されていないため、図２に示すように背後からつまみ２の押圧部２ａを照明する場合の照明エリア２ｂを広くすることができる。そのため、押圧部２ａの表面の文字配置の自由度が大きくなる。また、金型設計の自由度が大きくなる。
【００２８】
また、メンブレン３の弾力が作用するつまみ２の円筒形凸部２ｅ、２ｅが押圧部２ａ中心の対称位置に配置されているために、つまみ２を指で押すときにぶれがなく、作動させるときの感覚がよい。
【００２９】
実施例は以上のように構成されているが発明はこれに限られず、例えば、プッシュスイッチを作動させる凸部は円筒形でなく、十字形としてもよい。プッシュスイッチには、メンブレンスイッチの他にマイクロスイッチやタクトスイッチを用いることができる。また、リブに設けた凹みは貫通穴としてもよい。
【００３０】
さらに、リブを３個設けて押圧力のバランスが良くなる位置に配置してもよい。すなわち、リブを３、３…がつまみ２の中心を１８０°以上の円弧角で囲むように配置することでつまみ２を押すときにつまみ２を倒す方向の力が加わらなくなる。また、つまみを付勢するばねをスイッチの他に設けてもよい。その場合付勢する力を適度の大きさとすることが可能となる。
【００３１】
さらに、係合部を空間を囲む形状とせず、複数個のリブとして係合部を弾性変形させてもよく、リブと係合部の双方を弾性変形させてもよい。このようにすることにより、個々の部材の弾性変形量が小さくなり、設計の自由度が大きくなる。
【図面の簡単な説明】
【００３２】
【図１】この発明の実施例であるプッシュスイッチ作動用つまみを示す斜視図である。
【図２】同プッシュスイッチ作動用つまみを示す底面図である。
【図３】図２におけるＡ−Ａ断面に同プッシュスイッチ作動用つまみ周辺に配置される部材を示す断面図である。
【図４】従来のプッシュスイッチ作動用つまみの例を示す段差を有する断面での断面図である。
【符号の説明】
【００３３】
１  操作パネル、１ａ  係合部、１ｂ  傾斜面、１ｃ  段差
２  プッシュスイッチ作動用つまみ、２ａ  押圧部、２ｂ  照光エリア
２ｃ  リブ、２ｄ  凹み、２ｅ  円筒形凸部
３  メンブレン
１１  操作パネル、１１ａ  係合部、１１ｂ  傾斜面、１１ｃ  段差
１２  プッシュスイッチ作動用つまみ、１２ａ  押圧部、１２ｂ  リブ
１２ｃ  凹み、１２ｄ  軸
【図１】
2010003535.tif 000003
【図２】
2010003535.tif 000004
【図３】
2010003535.tif 000005
【図４】
2010003535.tif 000006